(57)【要約】【課題】蓄電池間の中間電位を、配線作業を行わずに回路基板に直接引き出すことができ、配線のための部品点数を著しく低減させることができる電池パックを提供すること。【解決手段】複数の第１導通支柱５Ａは、一対の保持板３Ａ，３Ｂ同士の間を支持し、複数の第２導通支柱５Ｂは、第１導通支柱５Ａに連結されて、一方の保持板３Ａと回路基板４との間を支持している。電池パック１においては、第１導通支柱５Ａと第２導通支柱５Ｂとによって、筒型蓄電池２Ａ〜２Ｄ同士が電気的に直列接続される中間部２２に位置する、筒型蓄電池２Ａ〜２Ｄの電極２１に接触する接続タブ６Ａ〜６Ｅと、回路基板４における導体部４１とが導通されている。回路基板４は、第１導通支柱５Ａ及び第２導通支柱５Ｂを用いて中間部２２における中間電位を測定するよう構成されている。【選択図】図１
2016018651.tif 000002
【特許請求の範囲】
【請求項１】
互いに平行に配列された複数の蓄電池と、
該複数の蓄電池の全体の両側に対向して配置された一対の保持板と、
該一対の保持板のうちの少なくとも一方の外側に対向して配置された回路基板と、
上記一対の保持板同士の間を支持する、導通性を有する第１導通支柱と、
上記保持板と上記回路基板との間を支持するとともに、上記第１導通支柱に連結された、導通性を有する第２導通支柱と、を備え、
上記第１導通支柱と上記第２導通支柱とによって、上記蓄電池同士が電気的に直列接続される中間部に位置する、上記蓄電池の電極又は該電極に接触する接続タブと、上記回路基板における導体部とが導通されており、
上記回路基板は、上記第１導通支柱及び上記第２導通支柱を用いて上記中間部における電位を測定するよう構成されていることを特徴とする電池パック。
【請求項２】
上記複数の蓄電池は、配列平面方向において互いに平行に配列され、該配列平面方向に直交する軸方向の両端面に上記電極を有する筒型蓄電池であり、
上記一対の保持板は、上記複数の蓄電池における、上記軸方向の両端面に対向して配置されており、
上記筒型蓄電池の電極には、隣接する上記蓄電池同士を電気的に接続する上記接続タブが配置されており、
上記第１導通支柱と上記第２導通支柱とによって、上記蓄電池同士が電気的に直列接続される中間部に位置する上記接続タブと、上記回路基板における導体部とが導通されていることを特徴とする請求項１に記載の電池パック。
【請求項３】
上記複数の蓄電池は、積層方向において互いに平行に配列され、該積層方向に直交する方向に上記電極を有するラミネート型蓄電池であり、
上記一対の保持板は、上記積層方向の両端部に位置する上記蓄電池に対向して配置されており、
上記第１導通支柱と上記第２導通支柱とによって、上記蓄電池同士が電気的に直列接続される中間部に位置する、上記蓄電池の電極と、上記回路基板における導体部とが導通されていることを特徴とする請求項１に記載の電池パック。
【請求項４】
上記蓄電池同士が電気的に直列接続される端部に位置する、上記蓄電池の電極又は該電極に接触する接続タブと、上記回路基板における導体部とは、導通性を有する第３導通支柱によって導通されており、
上記回路基板は、上記第３導通支柱を用いて上記複数の蓄電池の出力を取り出すよう構成されていることを特徴とする請求項１〜３のいずれか一項に記載の電池パック。
【発明の詳細な説明】
【技術分野】
【０００１】
本発明は、互いに平行に配列された複数の蓄電池を有する電池パックに関する。
【背景技術】
【０００２】
電池パックは、互いに平行に配列された複数の蓄電池を、保持板、ケース等に保持して構成されている。そして、複数の蓄電池は電気的に直列接続されていることが多く、この場合には、直列接続される蓄電池同士の間の中間電位を測定して、蓄電池の残容量、過充電・過放電等の蓄電池の異常の有無等を監視している。電池パックには、蓄電池間の中間電位の測定、及び複数の蓄電池による出力の取出等を行う回路基板が設けられる。
【０００３】
例えば、特許文献１のセルモジュールにおいては、積層方向に隣接した同電位に設定されるバスバー同士を電気的に接続する導電性柱状部材と、積層方向に隣接した異なる電位に設定されるバスバー同士を電気的に絶縁する絶縁性柱状部材とを、積層方向に交互に接続している。そして、導電性柱状部材によって複数のセルユニットが直列に接続されている。
【先行技術文献】
【特許文献】
【０００４】
【特許文献１】特開２００４−３１１２２号公報
【発明の概要】
【発明が解決しようとする課題】
【０００５】
ところで、電池パックにおいては、蓄電池間の中間電位の測定、及び複数の蓄電池による出力の取出等を行う回路基板をどのように取り付けるかが重要となる。回路基板の取付の仕方によっては、複数の蓄電池から回路基板への配線作業に手間がかかるだけでなく、配線を行うための部品点数も増加することになるためである。特許文献１においては、回路基板をどのように取り付けるかについては何らの開示がない。従って、配線作業を簡単にし、配線を行うための部品点数を低減させるためには更なる工夫が必要とされる。
【０００６】
本発明は、かかる背景に鑑みてなされたもので、蓄電池間の中間電位を、配線作業を行わずに回路基板に直接引き出すことができ、配線のための部品点数を著しく低減させることができる電池パックを提供しようとして得られたものである。
【課題を解決するための手段】
【０００７】
本発明の一態様は、互いに平行に配列された複数の蓄電池と、
該複数の蓄電池の全体の両側に対向して配置された一対の保持板と、
該一対の保持板のうちの少なくとも一方の外側に対向して配置された回路基板と、
上記一対の保持板同士の間を支持する、導通性を有する第１導通支柱と、
上記保持板と上記回路基板との間を支持するとともに、上記第１導通支柱に連結された、導通性を有する第２導通支柱と、を備え、
上記第１導通支柱と上記第２導通支柱とによって、上記蓄電池同士が電気的に直列接続される中間部に位置する、上記蓄電池の電極又は該電極に接触する接続タブと、上記回路基板における導体部とが導通されており、
上記回路基板は、上記第１導通支柱及び上記第２導通支柱を用いて上記中間部における電位を測定するよう構成されていることを特徴とする電池パックにある。
【発明の効果】
【０００８】
上記電池パックにおいては、複数の蓄電池を回路基板に接続する構造に工夫をしている。具体的には、複数の蓄電池間の中間部における電位（中間電位）は、第１導通支柱と第２導通支柱とを組み合わせて、回路基板における導体部に直接取り出している。そして、この中間電位の取出を行うために、配線を用いる必要がない。そのため、電池パックにおける、溶接や半田付け等を伴う配線作業を、省略又は極めて簡単にすることができる。
【０００９】
また、第１導通支柱は、一対の保持板を支持する機能を有し、第２導通支柱は、回路基板を保持板に支持する機能を有している。これにより、回路基板は、一対の保持板及び回路基板を支持する第１導通支柱及び第２導通支柱を利用して、複数の蓄電池間の中間電位を測定することができる。
それ故、上記電池パックによれば、蓄電池間の中間電位を、配線作業を行わずに回路基板に直接引き出すことができ、配線のための部品点数を著しく低減させることができる。
【図面の簡単な説明】
【００１０】
【図１】実施例１にかかる、電池パックを示す斜視図。
【図２】実施例１にかかる、電池パックの電気的構成を示す回路図。
【図３】実施例１にかかる、電池パックにおける、第１導通支柱及び第２導通支柱の周辺を示す断面図。
【図４】実施例１にかかる、電池パックにおける、第３導通支柱及び第４導通支柱の周辺を示す断面図。
【図５】実施例２にかかる、電池パックを示す斜視図。
【発明を実施するための形態】
【００１１】
上述した電池パックにおける好ましい実施の形態について説明する。
上記電池パックにおいては、上記複数の蓄電池は、配列平面方向において互いに平行に配列され、該配列平面方向に直交する軸方向の両端面に上記電極を有する筒型蓄電池であり、上記一対の保持板は、上記複数の蓄電池における、上記軸方向の両端面に対向して配置されており、上記筒型蓄電池の電極には、隣接する上記蓄電池同士を電気的に接続する上記接続タブが配置されており、上記第１導通支柱と上記第２導通支柱とによって、上記蓄電池同士が電気的に直列接続される中間部に位置する上記接続タブと、上記回路基板における導体部とが導通されていてもよい。
この場合には、複数の筒型蓄電池が配列された電池パックにおいて、第１導通支柱と第２導通支柱とによって、接続タブにおける中間電位を、配線を用いることなく回路基板における導体部に直接取り出すことができる。
【００１２】
また、上記複数の蓄電池は、積層方向において互いに平行に配列され、該積層方向に直交する方向に上記電極を有するラミネート型蓄電池であり、上記一対の保持板は、上記積層方向の両端部に位置する上記蓄電池に対向して配置されており、上記第１導通支柱と上記第２導通支柱とによって、上記蓄電池同士が電気的に直列接続される中間部に位置する、上記蓄電池の電極と、上記回路基板における導体部とが導通されていてもよい。
この場合には、複数のラミネート型蓄電池が配列された電池パックにおいて、第１導通支柱と第２導通支柱とによって、蓄電池の電極における中間電位を、配線を用いることなく回路基板における導体部に直接取り出すことができる。
【００１３】
また、上記蓄電池同士が電気的に直列接続される端部に位置する、上記蓄電池の電極又は該電極に接触する接続タブと、上記回路基板における導体部とは、導通性を有する第３導通支柱によって導通されており、上記回路基板は、上記第３導通支柱を用いて上記複数の蓄電池の出力を取り出すよう構成されていてもよい。
この場合には、第３導通支柱によって、蓄電池の出力を、配線を用いることなく回路基板に直接取り出すことができる。
【実施例】
【００１４】
以下に、電池パックにかかる実施例について、図面を参照して説明する。
本例の電池パック１は、図１に示すように、複数の筒型蓄電池２Ａ〜２Ｄ、一対の保持板３Ａ，３Ｂ、回路基板４、複数の第１導通支柱５Ａ及び複数の第２導通支柱５Ｂを備えている。
複数の筒型蓄電池２Ａ〜２Ｄは、互いに平行に配列されている。一対の保持板３Ａ，３Ｂは、複数の筒型蓄電池２Ａ〜２Ｄの全体の軸方向Ｌの両側に対向して配置されている。回路基板４は、一方の保持板３Ａの外側に対向して配置されている。複数の第１導通支柱５Ａは、導通性を有する部材から構成されており、一対の保持板３Ａ，３Ｂ同士の間を支持するよう構成されている。複数の第２導通支柱５Ｂは、導通性を有する部材から構成されており、第１導通支柱５Ａに連結されて、一方の保持板３Ａと回路基板４との間を支持するよう構成されている。
【００１５】
電池パック１においては、図１、図２に示すように、第１導通支柱５Ａと第２導通支柱５Ｂとによって、筒型蓄電池２Ａ〜２Ｄ同士が電気的に直列接続される中間部２２に位置する、筒型蓄電池２Ａ〜２Ｄの電極２１に接触する接続タブ６Ａ〜６Ｅと、回路基板４における導体部４１とが導通されている。回路基板４は、第１導通支柱５Ａ及び第２導通支柱５Ｂを用いて中間部２２における電位（以下、中間電位Ｖｍという。）を測定するよう構成されている。
【００１６】
以下に、本例の電池パック１について、図１〜図４を参照して詳説する。
図１に示すように、本例の複数の筒型蓄電池２Ａ〜２Ｄは、配列平面方向において互いに平行に配列され、配列平面方向に直交する軸方向Ｌの両端面に電極２１を有する円筒型蓄電池である。図２に示すように、本例の電池パック１においては、縦方向Ｄに並ぶ複数の筒型蓄電池２Ａ〜２Ｄが直列接続されて、直列蓄電池列２０１を構成している。そして、この直列蓄電池列２０１が縦方向Ｄに直交する横方向Ｗに複数並んで、互いに並列接続されている。配列平面方向とは、縦方向Ｄ及び横方向Ｗによって形成される平面の方向のことをいう。
【００１７】
一対の保持板３Ａ，３Ｂは、複数の筒型蓄電池２Ａ〜２Ｄにおける、軸方向Ｌの両端面に対向して配置されている。筒型蓄電池２Ａ〜２Ｄの両端面における電極２１には、隣接する筒型蓄電池２Ａ〜２Ｄ同士を電気的に接続する接続タブ６Ａ〜６Ｅが複数配置されている。
複数の接続タブ６Ａ〜６Ｅは、プラス側電極２１とマイナス側電極２１とが縦方向Ｄに交互に異なって並ぶ複数の筒型蓄電池２Ａ〜２Ｄの軸方向Ｌの一端面と軸方向Ｌの他端面とにおいて、複数の筒型蓄電池２Ａ〜２Ｄを直列に接続するように配置されている。
【００１８】
図１、図２に示すように、本例においては、４本の筒型蓄電池２Ａ〜２Ｄが直列蓄電池列２０１を構成している。複数の接続タブ６Ａ〜６Ｅは、縦方向Ｄの一方の端部に位置する第１筒型蓄電池２Ａの一端面に配置された第１接続タブ６Ａ、第１筒型蓄電池２Ａとこれに隣接する第２筒型蓄電池２Ｂとを軸方向Ｌの他端面において接続する第２接続タブ６Ｂ、第２筒型蓄電池２Ｂとこれに隣接する第３筒型蓄電池２Ｃとを軸方向Ｌの一端面において接続する第３接続タブ６Ｃ、第３筒型蓄電池２Ｃとこれに隣接する第４筒型蓄電池２Ｄとを軸方向Ｌの他端面において接続する第４接続タブ６Ｄ、第４筒型蓄電池２Ｄの他端面に配置された第５接続タブ６Ｅとして構成されている。
【００１９】
第２〜第４接続タブ６Ｂ〜６Ｄは、筒型蓄電池２Ａ〜２Ｄ同士が電気的に直列接続される中間部２２に位置している。各第１導通支柱５Ａの一端面は、回路基板４における導体部４１に接触し、各第１導通支柱５Ａの他端面は、第２接続タブ６Ｂ又は第４接続タブ６Ｄに接触している。
本例の各接続タブ６Ａ〜６Ｅは、筒型蓄電池２Ａ〜２Ｄの軸方向Ｌの両端面における電極２１に、溶接によって接続されている。なお、各接続タブ６Ａ〜６Ｅは、筒型蓄電池２Ａ〜２Ｄの電極２１に溶接せず、筒型蓄電池２Ａ〜２Ｄの電極２１に弾性力によって押さえ付ける構成とすることもできる。この場合、各接続タブ６Ａ〜６Ｅには、筒型蓄電池２Ａ〜２Ｄの電極２１に接触する、弾性変形可能な接触部を設けることができる。
【００２０】
図１、図３に示すように、第１導通支柱５Ａは、第２接続タブ６Ｂを回路基板４に接続する部分と、第４接続タブ６Ｄを回路基板４に接続する部分とに用いられる。各第１導通支柱５Ａは、軸方向Ｌの一端が一方の保持板３Ａに接触し、軸方向Ｌの他端が第２接続タブ６Ｂ又は第４接続タブ６Ｄを間に挟んで他方の保持板３Ｂに対向する。第１接続タブ６Ａと第３接続タブ６Ｃとの間、第３接続タブ６Ｃと第５接続タブ６Ｅとの間には、各第１導通支柱５Ａを、各接続タブ６Ａ〜６Ｅに接触させずに貫通させるための切欠部６１が形成されている。
【００２１】
図３に示すように、各第１導通支柱５Ａの軸方向Ｌの両端面には、ネジ穴５１が形成されており、各第１導通支柱５Ａの一端面には、一方の保持板３Ａの外側面から第２導通支柱５Ｂのオネジ部５２が螺合され、各第１導通支柱５Ａの他端面には、他方の保持板３Ｂの外側面からビス５３が螺合される。なお、各第１導通支柱５Ａは、長尺ボルト、タイボルト等によって構成することもできる。
各第１導通支柱５Ａに連結された各第２導通支柱５Ｂの軸方向Ｌの一端面は、回路基板４の外側面から螺合するビス５３によって、回路基板４の導体部４１に接触している。
【００２２】
図１、図４に示すように、第１接続タブ６Ａ及び第５接続タブ６Ｅには、複数の筒型蓄電池２Ａ〜２Ｄによる直列蓄電池列２０１の出力を取り出すための、導通性を有する第３導通支柱５Ｃが接続されている。第３導通支柱５Ｃは、第１接続タブ６Ａ又は第５接続タブ６Ｅと回路基板４における導体部４１とに接触している。回路基板４には、第３導通支柱５Ｃによって、直列蓄電池列２０１における一方の端部に位置する第１筒型蓄電池２Ａのプラス出力Ｖ＋と、及び直列蓄電池列２０１における他方の端部に位置する第４筒型蓄電池２Ｄのマイナス出力Ｖ−とが取り出される。また、筒型蓄電池２Ａ〜２Ｄ同士が電気的に直列接続される中間部２２に位置する第３接続タブ６Ｃは、第４導通支柱５Ｄによって回路基板４の導体部４１に接続されている。
【００２３】
図２に示すように、第１筒型蓄電池２Ａと第２筒型蓄電池２Ｂとの間の中間電位Ｖｍは、第２接続タブ６Ｂ、第１導通支柱５Ａ及び第２導通支柱５Ｂによって回路基板４に引き出される。また、第２筒型蓄電池２Ｂと第３筒型蓄電池２Ｃとの間の中間電位Ｖｍは、第３接続タブ６Ｃ及び第４導通支柱５Ｄによって回路基板４に引き出される。また、第３筒型蓄電池２Ｃと第４筒型蓄電池２Ｄとの間の中間電位Ｖｍは、第４接続タブ６Ｄ、第１導通支柱５Ａ及び第２導通支柱５Ｂによって回路基板４に引き出される。
【００２４】
次に、本例の電池パック１の作用効果について説明する。
本例の電池パック１においては、複数の筒型蓄電池２Ａ〜２Ｄ間の中間電位Ｖｍを、第１導通支柱５Ａと第２導通支柱５Ｂとを組み合わせて、回路基板４における導体部４１に直接取り出している。そして、この中間電位Ｖｍの取出を行うために、配線を用いていない。そのため、電池パック１における、溶接や半田付け等を伴う配線作業を、省略又は極めて簡単にすることができる。また、溶接や半田付け等の不良が生じにくく、導通部分の接触不良の問題が生じにくい。そして、組付の作業効率及び組付の安全性の向上を図ることができる。
【００２５】
また、第１導通支柱５Ａは、一対の保持板３Ａ，３Ｂを支持する機能を有し、第２導通支柱５Ｂは、回路基板４を一方の保持板３Ａに支持する機能を有している。これにより、回路基板４は、一対の保持板３Ａ，３Ｂ及び回路基板４を支持する第１導通支柱５Ａ及び第２導通支柱５Ｂを利用して、複数の筒型蓄電池２Ａ〜２Ｄ間の中間電位Ｖｍを測定することができる。さらに、電池パック１における、配線の収容スペース、接続作業を行うためのスペース等をなくし、電池パック１の小型化及び軽量化を図ることができる。
それ故、本例の電池パック１によれば、筒型蓄電池２Ａ〜２Ｄ間の中間電位Ｖｍを、配線作業を行わずに回路基板４に直接引き出すことができ、配線のための部品点数の低減及び省線化を図ることができ、さらに、電池パック１の小型化及び軽量化も図ることができる。
【００２６】
なお、直列蓄電池列２０１における筒型蓄電池２Ａ〜２Ｄの数は任意に設定することができる。また、複数の筒型蓄電池２Ａ〜２Ｄ間の中間電位Ｖｍを取り出す第２〜第４接続タブ６Ｂ〜６Ｄは、横方向Ｗに並ぶ複数の筒型蓄電池２Ａ，２Ｂ，２Ｃ又は２Ｄを並列接続するとともに縦方向Ｄに並ぶ複数の筒型蓄電池２Ａ〜２Ｄを直列接続する構成とすることもできる。この場合には、並列接続された複数の筒型蓄電池２Ａ〜２Ｄがさらに直列接続され、電池パック１の出力電流を大きくすることができる。
【００２７】
（実施例２）
本例は、ラミネート型蓄電池７Ａ〜７Ｄを用いて構成された電池パック１０についての例である。
図５に示すように、本例の複数のラミネート型蓄電池（以下、単に蓄電池という。）７Ａ〜７Ｄは、積層方向Ｍにおいて互いに平行に配列され、積層方向Ｍに直交する方向に一対の電極７１Ａ〜７１Ｄ，７２Ａ〜７２Ｄを有している。本例の一対の保持板３Ａ，３Ｂは、積層方向Ｍの両端部に位置する蓄電池７Ａ，７Ｄに対向して配置されている。複数の蓄電池７Ａ〜７Ｄにおける一対の電極７１Ａ〜７１Ｄ，７２Ａ〜７２Ｄは、蓄電池７Ａ〜７Ｄの平面方向の一方側に引き出されている。
複数の蓄電池７Ａ〜７Ｄにおいてプラス側電極７１Ａ〜７１Ｄ及びマイナス側電極７２Ａ〜７２Ｄが設けられた位置は、適宜異なっている。
【００２８】
本例の第１導通支柱５Ａは、複数の蓄電池７Ａ〜７Ｄにおける、積層方向Ｍに並ぶ電極間７２Ａ，７１Ｂ（７２Ｂ，７１Ｃ又は７２Ｃ，７１Ｄ）を接続するため、複数に分割して形成されている。第１導通支柱５Ａは、一方の保持板３Ａと蓄電池７Ａ〜７Ｄの電極７２Ａ（７２Ｂ又は７２Ｃ）とを接続する支柱部分５４、蓄電池７Ａ〜７Ｄの電極間７２Ａ，７１Ｂ（７２Ｂ，７１Ｃ又は７２Ｃ，７１Ｄ）を接続する支柱部分５５、及び蓄電池７Ａ〜７Ｄの電極７１Ｂ（７１Ｃ又は７１Ｄ）と他方の保持板３Ｂとを接続する支柱部分５６とに分割されている。そして、各支柱部分５４〜５６の両端面には、ネジ穴又はネジ穴に螺合するオネジ部が形成されている。
【００２９】
図５に示すように、第１導通支柱５Ａには、積層方向Ｍにおける回路基板４側の端部に位置する第１蓄電池７Ａのマイナス側電極７２Ａと、第１蓄電池７Ａに隣接する第２蓄電池７Ｂのプラス側電極７１Ｂとを接続するもの、第２蓄電池７Ｂのマイナス側電極７２Ｂと第２蓄電池７Ｂに隣接する第３蓄電池７Ｃのプラス側電極７１Ｃとを接続するもの、及び第３蓄電池７Ｃのマイナス側電極７２Ｃと第３蓄電池７Ｃに隣接する第４蓄電池７Ｄのプラス側電極７１Ｄとを接続するものがある。
【００３０】
また、第１導通支柱５Ａは、一対の保持板３Ａ，３Ｂの間に支持されており、第２導通支柱５Ｂは、第１導通支柱５Ａに連結されて、一方の対向板３Ａと回路基板４との間に支持されている。そして、第１導通支柱５Ａと第２導通支柱５Ｂとによって、第１蓄電池７Ａと第２蓄電池７Ｂとの間の中間電位Ｖｍ、第２蓄電池７Ｂと第３蓄電池７Ｃとの間の中間電位Ｖｍ、及び第３蓄電池７Ｃと第４蓄電池７Ｄとの間の中間電位Ｖｍを、回路基板４における導体部４１に取り出すよう構成されている。
【００３１】
また、図５に示すように、第１蓄電池７Ａのプラス側電極７１Ａは、一対の保持板３Ａ，３Ｂの間に支持された第５導通支柱５Ｅと、第５導通支柱５Ｅに連結され、一方の保持板３Ａと回路基板４との間に支持された第６導通支柱５Ｆとによって、回路基板４の導体部４１に設けられたプラス側出力Ｖ＋に接続されている。また、第４蓄電池７Ｄのマイナス側電極７２Ｄは、一対の保持板３Ａ，３Ｂの間に支持された第５導通支柱５Ｅと、第５導通支柱５Ｅに連結され、一方の保持板３Ａと回路基板４との間に支持された第６導通支柱５Ｆとによって、回路基板４の導体部４１に設けられたマイナス側出力Ｖ−に接続されている。
【００３２】
第５導通支柱５Ｅは、一方の保持板３Ａと蓄電池７Ａ（７Ｄ）の電極７１Ａ（７２Ｄ）とを接続する支柱部分５７、蓄電池７Ａ（７Ｄ）の電極間７１Ａ（７２Ｄ）と他方の保持板３Ｂとを接続する支柱部分５８とに分割されている。また、本例の一対の保持板３Ａ，３Ｂの間は、剛性を高めるための支柱５９によっても支持されている。そして、各支柱部分５７，５８及び支柱５９の両端面には、ネジ穴又はネジ穴に螺合するオネジ部が形成されている。
【００３３】
本例の電池パック１０によっても、実施例１と同様に、筒型蓄電池７Ａ〜７Ｄ間の中間電位Ｖｍを、配線作業を行わずに回路基板４に直接引き出すことができ、配線のための部品点数を著しく低減させることができる。本例においても、その他の構成及び図中の符号は実施例１と同様であり、実施例１と同様の作用効果を得ることができる。
【符号の説明】
【００３４】
１  電池パック
２Ａ〜２Ｄ  筒型蓄電池
２１  電極
２２  中間部
３Ａ，３Ｂ  保持板
４  回路基板
４１  導体部
５Ａ  第１導通支柱
５Ｂ  第２導通支柱
５Ｃ  第３導通支柱
６Ａ〜６Ｅ  接続タブ
Ｖｍ  中間電位
【図１】
2016018651.tif 000003
【図２】
2016018651.tif 000004
【図３】
2016018651.tif 000005
【図４】
2016018651.tif 000006
【図５】
2016018651.tif 000007